(57)【要約】【課題】硬貨をスムーズに繰り出すことができる硬貨繰出装置を提供する。【解決手段】硬貨繰出装置36は、上面に硬貨を載せて回転する回転円盤53、および回転円盤53の周囲に配設された周壁56を有する。周壁56には、回転円盤53上の硬貨を繰り出す硬貨繰出口57を備える。回転円盤53の上面には、周壁56との間の距離が取り扱う最小径硬貨の径より小さく、回転円盤53の同一円周上において回転円盤53上の硬貨Ｃ1との摩擦力を変化させる変化手段70を設ける。【選択図】図１
2013200689.tif 000002
【特許請求の範囲】
【請求項１】
上面に硬貨を載せて回転する回転円盤と、
前記回転円盤上の硬貨を繰り出す硬貨繰出口を有し、前記回転円盤の周囲に配設された周壁と、
前記回転円盤の上面に設けられ、前記周壁との間の距離が取り扱う最小径硬貨の径より小さく、前記回転円盤の同一円周上において前記回転円盤上の硬貨との摩擦力を変化させる変化手段と
を具備していることを特徴とする硬貨繰出装置。
【請求項２】
前記変化手段は、前記回転円盤の同一円周上において非一定形状に設けられている
ことを特徴とする請求項１記載の硬貨繰出装置。
【請求項３】
前記変化手段は、前記回転円盤の中心から周辺部までの距離が異なる変化部材を有している
ことを特徴とする請求項１または２記載の硬貨繰出装置。
【請求項４】
前記変化部材は、前記回転円盤の中心に対して偏心して設けられている
ことを特徴とする請求項３記載の硬貨繰出装置。
【請求項５】
前記変化部材は、周辺部の一部に切欠部を有している
ことを特徴とする請求項３記載の硬貨繰出装置。
【請求項６】
前記変化手段は、前記回転円盤の上面に設けられる第１の変化部材、およびこの第１の変化部材の一部に設けられ前記第１の変化部材とは異なる摩擦係数の第２の変化部材を有している
ことを特徴とする請求項１または２記載の硬貨繰出装置。
【請求項７】
前記第２の変化部材は、前記回転円盤の中心に対して偏心して設けられている
ことを特徴とする請求項６記載の硬貨繰出装置。
【発明の詳細な説明】
【技術分野】
【０００１】
本発明は、硬貨を繰り出す硬貨繰出装置に関する。
【背景技術】
【０００２】
従来、この種の硬貨繰出装置は、回転円盤、およびこの回転円盤の周囲に配設される周壁を備えている。そして、回転円盤の上面に硬貨を受け入れ、回転円盤の回転により、回転円盤の上面に載置された硬貨を遠心力により回転円盤の周辺方向に移動させるとともに周壁に沿って周方向に移動させ、周壁の一部に開口されている硬貨繰出口から硬貨を硬貨通路へ繰り出すようになっている。また、回転円盤の中心域上に回転体を偏心させて配置し、この回転体を回転円盤よりも高速で偏心回転させることにより、回転円盤上の中心域に滞留する硬貨を回転円盤上の周辺域に弾き出すようにしている（例えば、特許文献１参照。）。
【先行技術文献】
【特許文献】
【０００３】
【特許文献１】特開平７−２６２４２８号公報
【発明の概要】
【発明が解決しようとする課題】
【０００４】
しかしながら、従来の硬貨繰出装置では、回転円盤によって硬貨繰出口に送り出される硬貨が硬貨繰出口の縁部分に当接し、その硬貨繰出口の縁部分と回転円盤との間で硬貨がバランスしてしまい、硬貨が硬貨繰出口から繰り出されない虞がある。
【０００５】
従来の硬貨繰出装置では、回転体によって回転円盤の中心域に硬貨が停滞するのを解消することができるが、硬貨繰出口の縁部分と回転円盤との間でバランスした硬貨の停滞を解消することができず、硬貨をスムーズに繰り出すことができなかった。
【０００６】
本発明は、このような点に鑑みなされたもので、硬貨をスムーズに繰り出すことができる硬貨繰出装置を提供することを目的とする。
【課題を解決するための手段】
【０００７】
請求項１記載の硬貨繰出装置は、上面に硬貨を載せて回転する回転円盤と、前記回転円盤上の硬貨を繰り出す硬貨繰出口を有し、前記回転円盤の周囲に配設された周壁と、前記回転円盤の上面に設けられ、前記周壁との間の距離が取り扱う最小径硬貨の径より小さく、前記回転円盤の同一円周上において前記回転円盤上の硬貨との摩擦力を変化させる変化手段とを具備しているものである。
【０００８】
請求項２記載の硬貨繰出装置は、請求項１記載の硬貨繰出装置において、前記変化手段は、前記回転円盤の同一円周上において非一定形状に設けられているものである。
【０００９】
請求項３記載の硬貨繰出装置は、請求項１または２記載の硬貨繰出装置において、前記変化手段は、前記回転円盤の中心から周辺部までの距離が異なる変化部材を有しているものである。
【００１０】
請求項４記載の硬貨繰出装置は、請求項３記載の硬貨繰出装置において、前記変化部材は、前記回転円盤の中心に対して偏心して設けられているものである。
【００１１】
請求項５記載の硬貨繰出装置は、請求項３記載の硬貨繰出装置において、前記変化部材は、周辺部の一部に切欠部を有しているものである。
【００１２】
請求項６記載の硬貨繰出装置は、請求項１または２記載の硬貨繰出装置において、前記変化手段は、前記回転円盤の上面に設けられる第１の変化部材、およびこの第１の変化部材の一部に設けられ前記第１の変化部材とは異なる摩擦係数の第２の変化部材を有しているものである。
【００１３】
請求項７記載の硬貨繰出装置は、請求項６記載の硬貨繰出装置において、前記第２の変化部材は、前記回転円盤の中心に対して偏心して設けられているものである。
【発明の効果】
【００１４】
請求項１記載の硬貨繰出装置によれば、回転円盤の上面に設けられた変化手段により、回転円盤の同一円周上において回転円盤上の硬貨との摩擦力を変化させるため、硬貨繰出口の縁部分と回転円盤との間でバランスしている硬貨の動きに変化を与えてそのバランスを崩し、硬貨をスムーズに繰り出すことができる。
【００１５】
請求項２記載の硬貨繰出装置によれば、請求項１記載の硬貨繰出装置の効果に加えて、変化手段は、回転円盤の同一円周上において非一定形状に設けることにより、回転円盤の同一円周上において回転円盤上の硬貨との摩擦力を変化させることができる。
【００１６】
請求項３記載の硬貨繰出装置によれば、請求項１または２記載の硬貨繰出装置の効果に加えて、変化手段は、回転円盤の中心から周辺部までの距離が異なる変化部材を有することにより、同一円周上において回転円盤上の硬貨との摩擦力を変化させることができる。
【００１７】
請求項４記載の硬貨繰出装置によれば、請求項３記載の硬貨繰出装置の効果に加えて、変化部材は、回転円盤の中心に対して偏心して設けることにより、回転円盤の同一円周上において回転円盤上の硬貨との摩擦力を変化させることができる。
【００１８】
請求項５記載の硬貨繰出装置によれば、請求項３記載の硬貨繰出装置の効果に加えて、変化部材は、周辺部の一部に切欠部を有することにより、回転円盤の同一円周上において回転円盤上の硬貨との摩擦力を変化させることができる。
【００１９】
請求項６記載の硬貨繰出装置によれば、請求項１または２記載の硬貨繰出装置の効果に加えて、変化手段は、回転円盤の上面に設けられる第１の変化部材、およびこの第１の変化部材の一部に設けられ第１の変化部材とは異なる摩擦係数の第２の変化部材を有することにより、回転円盤の同一円周上において回転円盤上の硬貨との摩擦力を変化させることができる。
【００２０】
請求項７記載の硬貨繰出装置によれば、請求項６記載の硬貨繰出装置の効果に加えて、第２の変化部材は、前記回転円盤の中心に対して偏心して設けることにより、回転円盤の同一円周上において回転円盤上の硬貨との摩擦力を変化させることができる。
【図面の簡単な説明】
【００２１】
【図１】第１の実施の形態を示す硬貨繰出装置の平面図である。
【図２】同上硬貨繰出装置を用いた硬貨処理機の正面から見た断面図である。
【図３】同上硬貨処理機の平面から見た断面図である。
【図４】第２の実施の形態を示す硬貨繰出装置の平面図である。
【図５】第３の実施の形態を示す硬貨繰出装置の平面図である。
【図６】第４の実施の形態を示す硬貨繰出装置の平面図である。
【発明を実施するための形態】
【００２２】
以下、第１の実施の形態を、図１ないし図３を参照して説明する。
【００２３】
図２および図３に硬貨供給装置を用いた硬貨処理機を示し、この硬貨処理機は、ばら状態の硬貨の入金（収納）および出金処理、硬貨を包装して包装硬貨Ａを作成する包装処理、包装硬貨Ａの収納および出金処理などが行える。
【００２４】
硬貨処理機は、機体11を有し、この機体11の正面から見て左側の領域には主にばら状態の硬貨を処理する硬貨処理装置12が設置され、右側の領域には主に包装硬貨Ａを処理する包装硬貨処理装置13が設置されている。
【００２５】
すなわち、機体11の左側の領域の上部には、ばら状態の硬貨を外部から受け入れて処理する入金処理部15が配設されている。この入金処理部15の下側には、入金処理部15から硬貨を受け入れて一時保留する入金一時保留部16が配設されている。この入金一時保留部16の下側には、入金一時保留部16から収納する硬貨を受け入れて収納するとともに収納した硬貨を出金または包装するために繰り出す出金用収納部17と、この出金用収納部17から硬貨を受け入れて収納するとともに収納した硬貨を包装するために繰り出す包装用収納部18とが配設されている。また、機体11の前側には、硬貨を出金する出金部としての出金箱19と、入金一時保留部16から返却する硬貨を受け入れる返却箱20とが、それぞれ機体11の前面から着脱可能に配設されている。さらに、出金用収納部17から出金のために繰り出された硬貨を受け入れて出金箱19に搬送する出金一時保留部21が上下方向に移動可能に配設されている。
【００２６】
機体11の右側の領域の下部には、硬貨を包装して包装硬貨を作成する包装部23が配設されている。この包装部23の上側には、包装部23で作成された包装硬貨を金種別に収納する複数の包装硬貨収納部24が配設されている。また、機体11の前側には、包装硬貨を出金する包装硬貨出金部25が配設されている。さらに、包装部23および包装硬貨収納部24と包装硬貨出金部25との間には、包装部23で作成した包装硬貨を包装硬貨収納部24に搬送して収納したり包装硬貨収納部24から包装硬貨を取り出して包装硬貨出金部25に出金する搬送路26が配設されている。
【００２７】
そして、入金処理部15は、外部から投入口30に投入された硬貨を１枚ずつ分離して供給する硬貨供給装置31、およびこの硬貨供給装置31から供給される硬貨を搬送して処理する硬貨通路32を備えている。
【００２８】
硬貨供給装置31は、供給部34、分離部35および硬貨繰出装置36を有している。供給部34は投入口30から投入された硬貨を受け入れて適量ずつ分離部35に供給し、分離部35は供給部34から供給された硬貨中から硬貨より小さい異物を除去処理した後に硬貨を硬貨繰出装置36に供給し、硬貨繰出装置36は分離部35から供給された硬貨を１枚ずつ分離して硬貨通路32に繰り出す。
【００２９】
供給部34は、水平状態で回転する回転円盤38、およびこの回転円盤38の周囲を囲んで配置されたホッパ39を有し、投入口30から投入された硬貨を回転円盤38上に載置してホッパ39内に貯留する。回転円盤38の上面中央には例えば円錐状の突起40が設けられている。ホッパ39には回転円盤38の周辺に対向する周壁41が設けられ、この周壁41の１箇所には分離部35に硬貨を供給する硬貨供給口42が設けられている。
【００３０】
また、分離部35は、水平状態で回転する回転円盤44、およびこの回転円盤44の周囲を囲んで配置されたホッパ45を有し、供給部34の硬貨供給口42から供給された硬貨を回転円盤44上に載置してホッパ45内に貯留する。回転円盤44の上面中央には例えば円錐状の突起46が設けられている。ホッパ45には回転円盤44の周辺に対向する周壁47が設けられ、この周壁47の１箇所には硬貨繰出装置36に硬貨を排出する硬貨排出口48が設けられている。周壁47には図示しない複数の異物排出口が設けられ、硬貨よりも小さい形状の異物が異物排出口から排出されるように構成されている。
【００３１】
また、硬貨繰出装置36は、水平状態で回転する回転円盤53、およびこの回転円盤53の周囲を囲んで配置されたホッパ54を有し、分離部35の硬貨排出口48から排出された硬貨を回転円盤53上に載置してホッパ54内に貯留する。回転円盤53の上面中央には例えば円錐状の突起55が設けられている。ホッパ54には回転円盤53の周辺に対向する周壁56が設けられ、この周壁56の１箇所には硬貨通路32に硬貨を１枚ずつ繰り出す硬貨繰出口57が設けられている。硬貨繰出口57の上側には、回転円盤53の上面との間に硬貨が厚み方向に１枚ずつ通過する間隔を開けて厚み規制部材（図示せず）が設けられている。
【００３２】
また、硬貨通路32は、硬貨繰出装置36から繰り出される硬貨を１枚ずつ分離して搬送する。硬貨通路32は、硬貨が載置される通路面32a、硬貨の両側をガイドするガイド部材32b，32cを有している。ガイド部材32bは回転円盤53の回転方向上流側における硬貨繰出口57の縁部57aに連続され、ガイド部材32cは回転円盤53の回転方向下流側における硬貨繰出口57の縁部57bに連続されている。ガイド部材32bの硬貨繰出口57に対向する部分には、硬貨繰出口57および回転円盤53から徐々に遠ざかって硬貨通路32の幅を徐々に広げる導入部32dが形成されている。
【００３３】
硬貨通路32上には、硬貨通路32に沿って硬貨を搬送する搬送手段60が配設されている。搬送手段60は、複数の搬送ベルト61、この搬送ベルト61が張設される上流側のプーリ62および下流側のプーリ62などを有し、搬送ベルト61の回転によって硬貨を通路面32aに押し付けながら搬送する。
【００３４】
硬貨通路32には、硬貨を識別する識別部63、および硬貨を金種別に分岐して入金一時保留部16に送る分岐部64が配設されている。分岐部64には、オーバーフロー硬貨などを電気駆動手段によって分岐する分岐部64a、５円硬貨を電気駆動手段によって分岐する分岐部64b、１円硬貨、５０円硬貨、１００円硬貨、１０円硬貨、５００円硬貨の径の順に分岐する分岐部64cが設けられている。
【００３５】
次に、図１に硬貨繰出装置36の平面図を示す。なお、回転円盤53上の突起55は図示を省略している。
【００３６】
回転円盤53の上面53aに、周壁56との間の距離が取り扱う最小径硬貨の径より小さく、回転円盤53の同一円周上において回転円盤53上の硬貨との摩擦力を変化させる変化手段70が設けられている。
【００３７】
変化手段70は、回転円盤53の上面53aに設けられる変化部材71を有している。変化部材71は、内周円と外周円とが同心円の円環状でかつシート状に形成されたゴムシート72である。このゴムシート72の摩擦係数は、回転円盤53の上面53aの摩擦係数よりも大きい。
【００３８】
変化部材71は、回転円盤53の中心（回転中心）Ｏ1に対して所定の距離L1だけ偏心した偏心中心Ｏ2を中心に偏心して設置されている。回転円盤53の上面53aに窪みが形成され、この窪みにゴムシート72が設置され、回転円盤53の上面53aとゴムシート72の上面とが面一に構成されている。
【００３９】
これにより、変化手段70は、周壁56との間の距離が取り扱う最小径硬貨の径より小さい回転円盤53の同一円周上において、回転円盤53の上面53aと変化部材71であるゴムシート72とを有しており、回転円盤53の同一円周上において回転円盤53上の硬貨との摩擦力を変化させるように構成されている。さらに、変化手段70は、回転円盤53の同一円周上において非一定形状に設けられていることになり、また、変化部材71は、回転円盤53の中心Ｏ1から変化部材71の周辺部までの距離の少なくとも一部が異なっている。
【００４０】
次に、硬貨繰出装置36の動作を説明する。
【００４１】
回転円盤53上で周壁の内側に硬貨を受け入れて貯留する。
【００４２】
回転円盤53の回転により、回転円盤53の上面53aに載置されている硬貨に対して回転円盤53の外径方向への遠心力および回転円盤53の周方向への回転力を付与する。これにより、回転円盤53の上面53aに載置されている硬貨は、回転円盤53の周辺方向に移動して周壁56に当接するとともに周壁56に沿って周方向に移動し、周壁56の一部に開口されている硬貨繰出口57から硬貨通路32へ１枚ずつ繰り出される。
【００４３】
硬貨繰出口57から繰り出される硬貨は、硬貨の周辺部がガイド部材32bの導入部32dに当接してガイドされつつ、回転円盤53上から硬貨通路32の通路面32a上に乗り移っていき、通路面32aと搬送ベルト61との間にくわえ込まれることにより、搬送ベルト61によって硬貨通路32内を搬送される。
【００４４】
また、図１に示すように、硬貨Ｃ1が硬貨繰出口57の下流側の縁部57bに当接した状態で、硬貨Ｃ1と回転円盤53および通路面32aとの摩擦力や硬貨Ｃ1に対する回転円盤53からの遠心力および回転力などの力関係がバランスしてしまうと、硬貨Ｃ1が硬貨繰出口57に繰り出されずにそのまま停滞してしまう。特に、後続の硬貨Ｃ2が硬貨Ｃ1に当接して硬貨Ｃ1を硬貨繰出口57の下流側の縁部57bに押し付けることでバランスした状態で保持されやすい。
【００４５】
本実施の形態の硬貨繰出装置36では、回転円盤53に設けた変化手段70により、硬貨Ｃ1のバランス状態を崩し、硬貨繰出口57から硬貨をスムーズに繰り出すことができる。
【００４６】
すなわち、図１において実線で示す位置にゴムシート72がある状態では、硬貨Ｃ1に対してゴムシート72が接している面積が大きく、ゴムシート72との摩擦力が大きいが、回転円盤53の回転に伴って図１に２点鎖線で示す位置にゴムシート72が偏心回転すると、硬貨Ｃ1に対してゴムシート72が接する面積が小さくなり、ゴムシート72との摩擦力が小さくなって、ゴムシート72から外れる。
【００４７】
したがって、回転円盤53の回転に伴って、硬貨Ｃ1と回転する回転円盤53側との摩擦力が変化し、硬貨繰出口57の縁部57bに当接してバランスしている硬貨Ｃ1が回転円盤53の径方向（図１に矢印Ｂにて示す）に動き、硬貨Ｃ1のバランスが崩れやすい。
【００４８】
そして、硬貨Ｃ1のバランスが崩れ、硬貨Ｃ1が硬貨通路32側に動いた場合には、硬貨Ｃ1が搬送ベルト61の下にくわえ込まれて硬貨通路32内を搬送され、一方、硬貨Ｃ1が回転円盤53側に動いた場合には、硬貨Ｃ1が周壁56の内側に入って回転円盤53上に戻り、周壁56に沿って周方向に移動する。
【００４９】
このように、回転円盤53の上面53aに設けられた変化手段70により、回転円盤53の同一円周上において回転円盤53上の硬貨との摩擦力を変化させるため、硬貨繰出口57の縁部57aと回転円盤53との間でバランスしている硬貨の動きに変化を与えてそのバランスを崩し、硬貨繰出口57から硬貨をスムーズに繰り出すことができる。
【００５０】
また、変化手段70は、回転円盤53の同一円周上において非一定形状に設ければ、回転円盤53の同一円周上において回転円盤53上の硬貨との摩擦力を変化させることができる。
【００５１】
また、変化手段70は、回転円盤53の中心から周辺部までの距離が異なる変化部材71を備えれば、同一円周上において回転円盤53上の硬貨との摩擦力を変化させることができる。具体的には、変化部材71を回転円盤53の中心に対して偏心して設ければよい。
【００５２】
次に、第２の実施の形態を、図４を参照して説明する。なお、第１の実施の形態と同一構成および作用については同一符号を用いてその説明を省略する。
【００５３】
変化手段70の変化部材71として、内周円と外周円とが同心円の円環状でかつシート状に形成されたゴムシート72が用いられる。ゴムシート72の周辺部の一部には切欠部72aが形成されている。ゴムシート72は、回転円盤53の中心Ｏ1を中心として回転円盤53と同心円に設置されている。
【００５４】
周壁56との間の距離が取り扱う最小径硬貨の径より小さい回転円盤53の同一円周上に、ゴムシート72の周辺部および切欠部72aが配置されている。
【００５５】
これにより、変化手段70は、周壁56との間の距離が取り扱う最小径硬貨の径より小さい回転円盤53の同一円周上において、回転円盤53の上面53aと変化部材71であるゴムシート72とを有しており、回転円盤53の同一円周上において回転円盤53上の硬貨との摩擦力を変化させるように構成されている。さらに、変化手段70は、回転円盤53の同一円周上において非一定形状に設けられていることになり、また、変化部材71は、回転円盤53の中心Ｏ1から変化部材71の周辺部までの距離の少なくとも一部が異なっている。
【００５６】
そして、図４において実線で示す位置にゴムシート72がある状態では、硬貨Ｃ1に対してゴムシート72が接している面積が大きく、ゴムシート72との摩擦力が大きいが、回転円盤53の回転に伴って図４に２点鎖線で示す位置にゴムシート72の切欠部72aが回転すると、硬貨Ｃ1に対してゴムシート72が接する面積が小さく、ゴムシート72との摩擦力が小さくなって、ゴムシート72から外れる。
【００５７】
したがって、回転円盤53の回転に伴って、硬貨Ｃ1と回転する回転円盤53側との摩擦力が変化し、硬貨繰出口57の縁部57bに当接してバランスしている硬貨Ｃ1が回転円盤53の径方向（図１に矢印Ｂにて示す）に動き、硬貨Ｃ1のバランスが崩れやすい。
【００５８】
このように、回転円盤53の上面53aに設けられた変化手段70により、回転円盤53の同一円周上において回転円盤53上の硬貨との摩擦力を変化させるため、硬貨繰出口57の縁部57aと回転円盤53との間でバランスしている硬貨の動きに変化を与えてそのバランスを崩し、硬貨繰出口57から硬貨をスムーズに繰り出すことができる。
【００５９】
そして、変化部材71の周辺部の一部に切欠部72aを設けることにより、回転円盤53の同一円周上において回転円盤53上の硬貨との摩擦力を変化させることができる。
【００６０】
次に、第３の実施の形態を、図５を参照して説明する。なお、前記実施の形態と同一構成および作用については同一符号を用いてその説明を省略する。
【００６１】
変化手段70の変化部材71として、第１の変化部材81、およびこの第１の変化部材81の一部に設けられるとともに第１の変化部材81とは摩擦係数が異なる第２の変化部材82を備える。第１の変化部材81および第２の変化部材82とも円環状に形成され、第１の変化部材81の外周円と第２の変化部材82の内周円とは同心円に設けられているとともに、第２の変化部材82の外周円が偏心して設けられている。第１の変化部材81および第２の変化部材82とも例えばゴムシートが用いられるが、第１の変化部材81の摩擦係数より第２の変化部材の摩擦係数が大きい関係を有している。
【００６２】
回転円盤53の上面53aに、第１の変化部材81が設置され、第２の変化部材82の内周円が回転円盤53の中心Ｏ1を中心とするとともに第２の変化部材82の外周円が回転円盤53の中心Ｏ1に対して所定の距離L2だけ偏心した偏心中心Ｏ2を中心に偏心して設置されている。なお、図５には、第１の変化部材81が回転円盤53の上面53aの周辺部まで設置されているが、回転円盤53の上面53aの周辺部には第１の変化部材81を設置しなくてもよい。
【００６３】
これにより、変化手段70は、周壁56との間の距離が取り扱う最小径硬貨の径より小さい回転円盤53の同一円周上において、第１の変化部材81と第２の変化部材82とを有しており、回転円盤53の同一円周上において回転円盤53上の硬貨との摩擦力を変化させるように構成されている。さらに、変化手段70は、回転円盤53の同一円周上において非一定形状に設けられている。
【００６４】
そして、図５において実線で示す位置に第２の変化部材82がある状態では、硬貨Ｃ1に対して第２の変化部材82が接している面積が大きく、第２の変化部材82との摩擦力が大きいが、回転円盤53の回転に伴って図５に２点鎖線で示す位置に第２の変化部材82が偏心回転すると、硬貨Ｃ1に対して第２の変化部材82が接する面積が小さく、第２の変化部材82との摩擦力が小さくなって、第２の変化部材82から外れる。
【００６５】
したがって、回転円盤53の回転に伴って、硬貨Ｃ1と回転する回転円盤53側との摩擦力が変化し、硬貨繰出口57の縁部57bに当接してバランスしている硬貨Ｃ1が回転円盤53の径方向（図１に矢印Ｂにて示す）に動き、硬貨Ｃ1のバランスが崩れやすい。
【００６６】
このように、回転円盤53の上面53aに設けられた変化手段70により、回転円盤53の同一円周上において回転円盤53上の硬貨との摩擦力を変化させるため、硬貨繰出口57の縁部57aと回転円盤53との間でバランスしている硬貨の動きに変化を与えてそのバランスを崩し、硬貨繰出口57から硬貨をスムーズに繰り出すことができる。
【００６７】
そして、回転円盤53の上面53aに第１の変化部材81およびこの第１の変化部材81とは異なる摩擦係数の第２の変化部材82を設けることにより、回転円盤53の同一円周上において回転円盤53上の硬貨との摩擦力を変化させることができる。具体的には、第２の変化部材82を、回転円盤53の中心に対して偏心して設ければよい。
【００６８】
次に、第４の実施の形態を、図６を参照して説明する。なお、前記実施の形態と同一構成および作用については同一符号を用いてその説明を省略する。
【００６９】
変化手段70の変化部材71として、第１の変化部材81、およびこの第１の変化部材81の一部に設けられるとともに第１の変化部材81とは摩擦係数が異なる第２の変化部材82を備える。第１の変化部材81は円環状に形成され、第２の変化部材82は第１の変化部材81の周方向における複数箇所に間隔をあけて設けられている。第１の変化部材81および第２の変化部材82とも例えばゴムシートが用いられるが、第１の変化部材81の摩擦係数より第２の変化部材の摩擦係数が大きい関係を有している。
【００７０】
回転円盤53の上面53aに、第１の変化部材81および第２の変化部材82が回転円盤53の中心Ｏ1を中心して同心円に設置されている。
【００７１】
これにより、変化手段70は、周壁56との間の距離が取り扱う最小径硬貨の径より小さい回転円盤53の同一円周上において、第１の変化部材81と第２の変化部材82とを有しており、回転円盤53の同一円周上において回転円盤53上の硬貨との摩擦力を変化させるように構成されている。さらに、変化手段70は、回転円盤53の同一円周上において非一定形状に設けられている。
【００７２】
そして、図６において実線で示す位置に第２の変化部材82がある状態では、硬貨Ｃ1に対して第１の変化部材81が接し、第１の変化部材81との摩擦力が小さいが、回転円盤53の回転に伴って図６に２点鎖線で示す位置に第２の変化部材82が偏心回転すると、硬貨Ｃ1に対して第２の変化部材82が接し、第２の変化部材82との摩擦力が大きくなる。
【００７３】
したがって、回転円盤53の回転に伴って、硬貨Ｃ1と回転する回転円盤53側との摩擦力が変化し、硬貨繰出口57の縁部57bに当接してバランスしている硬貨Ｃ1が回転円盤53の径方向（図１に矢印Ｂにて示す）に動き、硬貨Ｃ1のバランスが崩れやすい。
【００７４】
このように、回転円盤53の上面53aに設けられた変化手段70により、回転円盤53の同一円周上において回転円盤53上の硬貨との摩擦力を変化させるため、硬貨繰出口57の縁部57aと回転円盤53との間でバランスしている硬貨の動きに変化を与えてそのバランスを崩し、硬貨繰出口57から硬貨をスムーズに繰り出すことができる。
【００７５】
そして、回転円盤53の上面53aに第１の変化部材81およびこの第１の変化部材81とは異なる摩擦係数の第２の変化部材82を設けることにより、回転円盤53の同一円周上において回転円盤53上の硬貨との摩擦力を変化させることができる。
【００７６】
なお、前記第１および第２の実施の形態において、変化部材71の摩擦係数は、回転円盤53の上面53aの摩擦係数より小さくてもよい。
【００７７】
また、前記第３および第４の実施の形態において、第１の変化部材81の摩擦係数より第２の変化部材82の摩擦係数が小さい関係を有していてもよい。
【００７８】
また、各変化部材71，81，82は、ゴムシートに限らず、金属や合成樹脂を含む他の材料でもよい。
【００７９】
また、変化手段70は、回転円盤53の上面53aに溝を設けたり表面処理を施すことにより、回転円盤53の同一円周上において回転円盤53上の硬貨との摩擦力を変化させてもよい。
【符号の説明】
【００８０】
36    硬貨繰出装置
53    回転円盤
56    周壁
57    硬貨繰出口
70    変化手段
71    変化部材
72a   切欠部
81    第１の変化部材
82    第２の変化部材
Ｃ1   硬貨
【図１】
2013200689.tif 000003
【図２】
2013200689.tif 000004
【図３】
2013200689.tif 000005
【図４】
2013200689.tif 000006
【図５】
2013200689.tif 000007
【図６】
2013200689.tif 000008